(57)【要約】【課題】ユーザ毎に、現在の位置において適切な情報を提供する。【解決手段】情報案内ディスプレイ装置２０に携帯端末１０がかざされた場合、情報案内ディスプレイ装置２０が、携帯端末１０の端末ＩＤを情報配信サーバ４０に送信し、情報配信サーバ４０では、予定情報管理テーブル５３ａを参照して、送信されてくる携帯端末１０の端末ＩＤに対応する予定情報を選択し（ステップＳ２１〜ステップＳ２３→ステップＳ２９）、その選択した予定情報における予定の実行日時と現日時との差から実行フェーズ又は準備フェーズのタスクを選択し（ステップＳ３１〜ステップＳ３３）、その選択した実行フェーズ又は準備フェーズのタスクにより、ユーザの現在位置を考慮しつつ、ユーザに提供する情報を作成し（ステップＳ３４〜ステップＳ３５、ステップＳ２４〜ステップＳ２７）、その作成した情報を情報案内ディスプレイ装置２０に送信する。【選択図】図１０
2008129774.tif 000002
【特許請求の範囲】
【請求項１】
携帯端末との間で非接続状態で通信可能な携帯端末間通信装置に前記携帯端末がかざされた場合に、前記携帯端末間通信装置又は携帯端末にて外部出力するための情報を送信する情報管理サーバにおいて、
前記携帯端末の識別情報と該携帯端末にて入力された予定情報とが対応付けされた予定情報管理手段と、
前記予定情報管手段で管理する情報を参照し、前記携帯端末がかざされたことに対応して送信されてくる前記携帯端末の識別情報に対応する予定情報を選択する予定情報選択手段と、
前記携帯端末の現在位置を示す位置情報を取得する端末位置情報取得手段と、
前記予定情報選択手段が選択した予定情報における実行日時と現日時との差に基づいて、現時点が前記予定に対する実行段階か、前記予定に対する準備段階かを判定する段階判定手段と、
前記段階判定手段の判定結果に応じたものであり、かつ前記位置情報取得手段が取得した携帯端末の位置情報に応じた、前記予定を実現するために必要な実行段階又は準備段階の情報を作成する情報作成手段と、
前記情報作成手段が作成した情報を通信ネットワークを介して前記携帯端末間通信装置又は携帯端末に送信する送信手段と、
を備えることを特徴とする情報管理サーバ。
【請求項２】
前記実行段階又は準備段階の情報は、前記予定情報が示す予定を実現するために、実行段階又は準備段階で必要となる情報を一般抽象化した情報であることを特徴とする請求項１に記載の情報管理サーバ。
【請求項３】
前記実行段階又は準備段階の情報は、サービスを提供する施設の情報であり、
実行段階及び準備段階とサービスを提供する施設のカテゴリとを対応させて管理するサービスカテゴリ管理手段と、前記サービスを提供する施設、該施設のカテゴリ及び該施設の位置を示す位置情報が対応付けて管理する施設位置管理手段と、を備え、
前記情報作成手段は、前記段階判定手段の判定結果に応じて、前記サービスカテゴリ管理手段で管理する実行段階又は準備段階に応じたサービスを提供する施設のカテゴリを選択し、前記施設位置管理手段で管理する情報を参照し、前記選択したサービスを提供する施設のカテゴリに属し、かつ前記位置情報取得手段が取得した携帯端末の位置情報が示す現在位置から所定エリアにあるサービスを提供する施設を選択し、その選択したサービスを提供する施設の情報により前記実行段階又は準備段階の情報を作成することを特徴とする請求項１又は２に記載の情報管理サーバ。
【請求項４】
地図情報を保持している地図情報保持手段を備え、前記情報作成手段は、前記地図情報保持手段が保持し、前記端末位置情報取得手段が取得した携帯端末の位置及び前記選択したサービスを提供する施設の位置を含む地図情報を、前記予定を実現するために必要な実行段階又は準備段階の情報として作成することを特徴とする請求項３に記載の情報管理サーバ。
【請求項５】
前記携帯端末間通信装置の識別情報と該携帯端末間通信装置の設置位置を示す位置情報とを対応付けて管理する装置位置管理手段を備え、前記端末位置情報取得手段は、前記携帯端末が前記携帯端末間通信装置にかざされた場合に送信されてくる該携帯端末間通信装置の識別情報に対応する携帯端末間通信装置の設置位置を、前記装置位置管理手段で管理する情報を参照して取得し、その取得した携帯端末間通信装置の設置位置を前記携帯端末の現在位置を示す位置情報とすることを特徴とする請求項１〜４の何れか１項に記載の情報管理サーバ。
【請求項６】
前記実行段階又は準備段階の情報は、辞書データベースを参照して、前記予定の内容に合致するように選択されることを特徴とする請求項１〜５の何れか１項に記載の情報管理サーバ。
【請求項７】
携帯端末との間で非接続状態で通信可能とされ、前記携帯端末がかざされたことに対応して情報管理サーバから送信されてくる情報を前記携帯端末を介して外部出力させ、又は自己を介して外部出力する携帯端末間通信装置において、
前記情報管理サーバは、携帯端末の識別情報と該携帯端末にて入力された予定情報とを対応付けて管理する予定情報管理手段及び携帯端末間通信装置の識別情報と該携帯端末間通信装置の設置位置を示す位置情報とを対応付けて管理する装置位置管理手段とを備え、前記予定情報管理手段で管理する情報を参照し、前記携帯端末がかざされたことに対応して送信されてくる前記携帯端末の識別情報に対応する予定情報を選択するとともに、前記装置位置管理手段で管理する情報を参照し、前記携帯端末が携帯端末間通信装置にかざされたことに対応して送信されてくる該携帯端末間通信装置の識別情報に対応する携帯端末間通信装置の位置情報を選択し、その選択した予定情報における実行日時と現日時との差に基づいて、現時点が前記予定に対する実行段階か、前記予定に対する準備段階かを判定し、その判定結果に応じたものであり、かつ前記選択した携帯端末間通信装置の位置情報に基づいて、前記予定を実現するために必要な実行段階又は準備段階の情報を作成し、その作成した情報を、携帯端末間通信装置又は携帯端末に送信しており、
かざされた携帯端末の識別情報を取得する携帯端末識別情報取得手段と、
携帯端末間通信装置の識別情報を保持する装置識別情報保持手段と、
前記携帯端末識別情報取得手段が取得した携帯端末の識別情報及び前記装置識別情報保持手段が保持する携帯端末間通信装置の識別情報を前記情報管理サーバに送信する送信手段と、
を備えることを特徴とする携帯端末間通信装置。
【請求項８】
非接続状態で通信可能な携帯端末間通信装置にかざされることで、自己の識別情報が前記携帯端末間通信装置を介して情報管理サーバに送信されて、その送信に対応して前記情報管理サーバから送信されてくる情報を前記携帯端末間通信装置を介して外部出力させ、又は自己を介して外部出力する携帯端末において、
前記情報管理サーバでは、携帯端末の識別情報を基に、携帯端末にて入力された予定情報を選択し、その選択した予定情報における予定の実行日時と現日時との差に基づいて、現時点が前記予定に対する実行段階か、前記予定に対する準備段階かを判定し、その判定結果に応じたものであり、かつ現在の携帯端末の位置情報に応じた、前記予定を実現するために必要な実行段階又は準備段階の情報を作成し、その作成した情報を、前記携帯端末間通信装置又は携帯端末に送信しており、
携帯端末の識別情報を保持する携帯端末識別情報保持手段と、
かざさしたタイミングで、前記携帯端末識別情報保持手段が保持している携帯端末の識別情報を前記携帯端末間通信装置に送信する送信手段と、
を備えることを特徴とする携帯端末。
【請求項９】
自己の位置情報及び識別情報を情報管理サーバに送信して、その送信に対応して前記情報管理サーバから送信されてくる情報を前記携帯端末間通信装置を介して外部出力させ、又は自己を介して外部出力する携帯端末において、
前記情報管理サーバでは、携帯端末の識別情報と該携帯端末にて入力された予定情報とを対応付けて保持しており、携帯端末の識別情報が送信されてきた場合には、前記対応付けて保持している情報を参照し、該携帯端末の識別情報に対応する携帯端末にて入力された予定情報を選択し、その選択した予定情報における予定の実行日時と現日時との差に基づいて、現時点が前記予定に対する実行段階か、前記予定に対する準備段階かを判定し、その判定結果に応じたものであり、かつ現在の携帯端末の位置情報に応じた、前記予定を実現するために必要な実行段階又は準備段階の情報を作成し、その作成した情報を、前記携帯端末間通信装置又は携帯端末に送信しており、
携帯端末の識別情報を保持する携帯端末識別情報保持手段と、
前記予定情報の入力操作がなされる予定情報入力手段と、
前記携帯端末識別情報保持手段が保持している携帯端末の識別情報と前記予定情報入力手段が入力操作されて入力された予定情報とを前記情報管理サーバに送信する送信手段と、
を備えることを特徴とする携帯端末。
【請求項１０】
携帯端末との間で非接続状態で通信可能な携帯端末間通信装置に前記携帯端末がかざされた場合、それに対応して情報管理サーバから送信されてくる情報を前記携帯端末間通信装置又は前記携帯端末を介して外部出力する情報提供方法において、
前記携帯端末にて予定情報が入力された場合、その入力された予定情報と該携帯端末の識別情報を情報管理サーバに送信し、
前記情報管理サーバでは、送信されてくる予定情報と携帯端末の識別情報とを対応づけて保持し、
前記携帯端末間通信装置に携帯端末がかざされた場合、該携帯端末間通信装置及び携帯端末の識別情報を前記情報管理サーバに送信し、
前記情報管理サーバでは、保持している情報を参照し、送信されてくる携帯端末の識別情報に対応する予定情報を選択し、その選択した予定情報における予定の実行日時と現日時との差に基づいて、現時点が前記予定に対する実行段階か、前記予定に対する準備段階かを判定し、その判定結果に応じたものであり、かつ現在の携帯端末の位置情報に応じた、前記予定を実現するために必要な実行段階又は準備段階の情報を作成し、
前記情報管理サーバでは、前記作成した情報を、前記携帯端末間通信装置又は携帯端末に送信すること
を特徴とする情報提供方法。
【発明の詳細な説明】
【技術分野】
【０００１】
本発明は、非接続状態で通信可能な携帯端末間通信装置及び通信端末、携帯端末又は携帯端末間通信装置を介して提供する情報を管理する情報管理サーバ、並びに情報提供方法に関する。
【背景技術】
【０００２】
近年、携帯電話等の携帯端末を利用したインターネット上の情報コンテンツ等へのアクセス方法が普及しており、その中でも、ユーザ（携帯端末）の現在位置に応じた情報を配信する位置依存の情報提供サービスが広く普及している。
非特許文献１、２に開示の技術では、ＧＰＳ（Global Positioning System）等のセンサ情報や携帯端末が無線アクセスする基地局情報等を用いてユーザの位置を特定し、その特定した位置で必要となる可能性が高い情報を提供することで、ユーザの利便性向上を図っている。
【０００３】
また、特許文献１では、定期券による移動に関連した情報を基に交通経路を決定し、その決定した交通経路を使用した際に利用可能な拠点の情報（広告等）を取得して、利用者の端末に送信する仕組みが提案されている。
【非特許文献１】「Mobile Info Search: Information Integration for Location-Aware Computing」，K.Takahashi，N.Miura，S.Yokoji and K.Shima，情報処理学会論文誌，Vol.41，No.4pp1192-1201，2000
【非特許文献２】「デジタルシティ京都―市民のための公共情報空間の構築をめざして」，小山 聡，平松 薫，山田幸一，bit，Vol.33，No.4，pp.8-12，2001
【特許文献１】特許第３３７２９３５号
【発明の開示】
【発明が解決しようとする課題】
【０００４】
しかしながら、前記従来の技術では、ユーザの現在の位置情報だけに依存して配信情報を決定しているから、それら決定した情報は、全てのユーザに対して画一的なものになっている。
本発明の課題は、ユーザ毎に、現在の位置において適切な情報を提供することである。
【課題を解決するための手段】
【０００５】
前記課題を解決するために、請求項１に記載の発明に係る情報管理サーバは、携帯端末との間で非接続状態で通信可能な携帯端末間通信装置に前記携帯端末がかざされた場合に、前記携帯端末間通信装置又は携帯端末にて外部出力するための情報を送信する情報管理サーバにおいて、前記携帯端末の識別情報と該携帯端末にて入力された予定情報とが対応付けされた予定情報管理手段と、前記予定情報管手段で管理する情報を参照し、前記携帯端末がかざされたことに対応して送信されてくる前記携帯端末の識別情報に対応する予定情報を選択する予定情報選択手段と、前記携帯端末の現在位置を示す位置情報を取得する端末位置情報取得手段と、前記予定情報選択手段が選択した予定情報における実行日時と現日時との差に基づいて、現時点が前記予定に対する実行段階か、前記予定に対する準備段階かを判定する段階判定手段と、前記段階判定手段の判定結果に応じたものであり、かつ前記位置情報取得手段が取得した携帯端末の位置情報に応じた、前記予定を実現するために必要な実行段階又は準備段階の情報を作成する情報作成手段と、前記情報作成手段が作成した情報を通信ネットワークを介して前記携帯端末間通信装置又は携帯端末に送信する送信手段と、を備えることを特徴とする。
【０００６】
また、請求項２に記載の発明に係る情報管理サーバは、請求項１に記載の発明に係る情報管理サーバにおいて、前記実行段階又は準備段階の情報が、前記予定情報が示す予定を実現するために、実行段階又は準備段階で必要となる情報を一般抽象化した情報であることを特徴とする。
また、請求項３に記載の発明に係る情報管理サーバは、請求項１又は２に記載の発明に係る情報管理サーバにおいて、  前記実行段階又は準備段階の情報は、サービスを提供する施設の情報であり、実行段階及び準備段階とサービスを提供する施設のカテゴリとを対応させて管理するサービスカテゴリ管理手段と、前記サービスを提供する施設、該施設のカテゴリ及び該施設の位置を示す位置情報が対応付けて管理する施設位置管理手段と、を備え、前記情報作成手段が、前記段階判定手段の判定結果に応じて、前記サービスカテゴリ管理手段で管理する実行段階又は準備段階に応じたサービスを提供する施設のカテゴリを選択し、前記施設位置管理手段で管理する情報を参照し、前記選択したサービスを提供する施設のカテゴリに属し、かつ前記位置情報取得手段が取得した携帯端末の位置情報が示す現在位置から所定エリアにあるサービスを提供する施設を選択し、その選択したサービスを提供する施設の情報により前記実行段階又は準備段階の情報を作成することを特徴とする。
【０００７】
また、請求項４に記載の発明に係る情報管理サーバは、請求項３に記載の発明に係る情報管理サーバにおいて、地図情報を保持している地図情報保持手段を備え、前記情報作成手段が、前記地図情報保持手段が保持し、前記端末位置情報取得手段が取得した携帯端末の位置及び前記選択したサービスを提供する施設の位置を含む地図情報を、前記予定を実現するために必要な実行段階又は準備段階の情報として作成することを特徴とする。
【０００８】
また、請求項５に記載の発明に係る情報管理サーバは、請求項１〜４の何れか１項に記載の発明に係る情報管理サーバにおいて、前記携帯端末間通信装置の識別情報と該携帯端末間通信装置の設置位置を示す位置情報とを対応付けて管理する装置位置管理手段を備え、前記端末位置情報取得手段が、前記携帯端末が前記携帯端末間通信装置にかざされた場合に送信されてくる該携帯端末間通信装置の識別情報に対応する携帯端末間通信装置の設置位置を、前記装置位置管理手段で管理する情報を参照して取得し、その取得した携帯端末間通信装置の設置位置を前記携帯端末の現在位置を示す位置情報とすることを特徴とする。
また、請求項６に記載の発明に係る情報管理サーバは、請求項１〜５の何れか１項に記載の発明に係る情報管理サーバにおいて、前記実行段階又は準備段階の情報が、辞書データベースを参照して、前記予定の内容に合致するように選択されることを特徴とする。
【０００９】
また、請求項７に記載の発明に係る携帯端末間通信装置は、携帯端末との間で非接続状態で通信可能とされ、前記携帯端末がかざされたことに対応して情報管理サーバから送信されてくる情報を前記携帯端末を介して外部出力させ、又は自己を介して外部出力する携帯端末間通信装置において、前記情報管理サーバが、携帯端末の識別情報と該携帯端末にて入力された予定情報とを対応付けて管理する予定情報管理手段及び携帯端末間通信装置の識別情報と該携帯端末間通信装置の設置位置を示す位置情報とを対応付けて管理する装置位置管理手段とを備え、前記予定情報管理手段で管理する情報を参照し、前記携帯端末がかざされたことに対応して送信されてくる前記携帯端末の識別情報に対応する予定情報を選択するとともに、前記装置位置管理手段で管理する情報を参照し、前記携帯端末が携帯端末間通信装置にかざされたことに対応して送信されてくる該携帯端末間通信装置の識別情報に対応する携帯端末間通信装置の位置情報を選択し、その選択した予定情報における実行日時と現日時との差に基づいて、現時点が前記予定に対する実行段階か、前記予定に対する準備段階かを判定し、その判定結果に応じたものであり、かつ前記選択した携帯端末間通信装置の位置情報に基づいて、前記予定を実現するために必要な実行段階又は準備段階の情報を作成し、その作成した情報を、携帯端末間通信装置又は携帯端末に送信しており、かざされた携帯端末の識別情報を取得する携帯端末識別情報取得手段と、携帯端末間通信装置の識別情報を保持する装置識別情報保持手段と、前記携帯端末識別情報取得手段が取得した携帯端末の識別情報及び前記装置識別情報保持手段が保持する携帯端末間通信装置の識別情報を前記情報管理サーバに送信する送信手段と、を備えることを特徴とする。
【００１０】
また、請求項８に記載の発明に係る携帯端末は、非接続状態で通信可能な携帯端末間通信装置にかざされることで、自己の識別情報が前記携帯端末間通信装置を介して情報管理サーバに送信されて、その送信に対応して前記情報管理サーバから送信されてくる情報を前記携帯端末間通信装置を介して外部出力させ、又は自己を介して外部出力する携帯端末において、前記情報管理サーバでは、携帯端末の識別情報を基に、携帯端末にて入力された予定情報を選択し、その選択した予定情報における予定の実行日時と現日時との差に基づいて、現時点が前記予定に対する実行段階か、前記予定に対する準備段階かを判定し、その判定結果に応じたものであり、かつ現在の携帯端末の位置情報に応じた、前記予定を実現するために必要な実行段階又は準備段階の情報を作成し、その作成した情報を、前記携帯端末間通信装置又は携帯端末に送信しており、携帯端末の識別情報を保持する携帯端末識別情報保持手段と、かざさしたタイミングで、前記携帯端末識別情報保持手段が保持している携帯端末の識別情報を前記携帯端末間通信装置に送信する送信手段と、を備えることを特徴とする。
【００１１】
また、請求項９に記載の発明に係る携帯端末は、自己の位置情報及び識別情報を情報管理サーバに送信して、その送信に対応して前記情報管理サーバから送信されてくる情報を前記携帯端末間通信装置を介して外部出力させ、又は自己を介して外部出力する携帯端末において、前記情報管理サーバでは、携帯端末の識別情報と該携帯端末にて入力された予定情報とを対応付けて保持しており、携帯端末の識別情報が送信されてきた場合には、前記対応付けて保持している情報を参照し、該携帯端末の識別情報に対応する携帯端末にて入力された予定情報を選択し、その選択した予定情報における予定の実行日時と現日時との差に基づいて、現時点が前記予定に対する実行段階か、前記予定に対する準備段階かを判定し、その判定結果に応じたものであり、かつ現在の携帯端末の位置情報に応じた、前記予定を実現するために必要な実行段階又は準備段階の情報を作成し、その作成した情報を、前記携帯端末間通信装置又は携帯端末に送信しており、携帯端末の識別情報を保持する携帯端末識別情報保持手段と、前記予定情報の入力操作がなされる予定情報入力手段と、前記携帯端末識別情報保持手段が保持している携帯端末の識別情報と前記予定情報入力手段が入力操作されて入力された予定情報とを前記情報管理サーバに送信する送信手段と、を備えることを特徴とする。
【００１２】
また、請求項１０に記載の発明に係る情報提供方法は、携帯端末との間で非接続状態で通信可能な携帯端末間通信装置に前記携帯端末がかざされた場合、それに対応して情報管理サーバから送信されてくる情報を前記携帯端末間通信装置又は前記携帯端末を介して外部出力する情報提供方法において、前記携帯端末にて予定情報が入力された場合、その入力された予定情報と該携帯端末の識別情報を情報管理サーバに送信し、前記情報管理サーバでは、送信されてくる予定情報と携帯端末の識別情報とを対応づけて保持し、前記携帯端末間通信装置に携帯端末がかざされた場合、該携帯端末間通信装置及び携帯端末の識別情報を前記情報管理サーバに送信し、前記情報管理サーバでは、保持している情報を参照し、送信されてくる携帯端末の識別情報に対応する予定情報を選択し、その選択した予定情報における予定の実行日時と現日時との差に基づいて、現時点が前記予定に対する実行段階か、前記予定に対する準備段階かを判定し、その判定結果に応じたものであり、かつ現在の携帯端末の位置情報に応じた、前記予定を実現するために必要な実行段階又は準備段階の情報を作成し、前記情報管理サーバでは、前記作成した情報を、前記携帯端末間通信装置又は携帯端末に送信することを特徴とする。
【発明の効果】
【００１３】
本発明によれば、携帯端末のユーザに提供する情報が、予定情報における予定の実行日時と現日時との差に基づいて、現時点が予定に対する実行段階か、予定に対する準備段階かを判定し、その判定結果に応じたものであり、かつ現在の携帯端末の位置情報に応じた、前記予定を実現するために必要な実行段階又は準備段階の情報になっており、すなわち、現在の携帯端末の位置情報に加えて、ユーザの予定に対する現時点の段階を考慮した情報になっており、その提供される情報は、ユーザにとって現在の位置において適切な情報になる。
【発明を実施するための最良の形態】
【００１４】
本発明を実施するための最良の形態（以下、実施形態という。）を図面を参照しながら詳細に説明する。
（構成）
本実施形態は、本発明を適用した情報配信システムを説明する。そして、情報配信システムは、本発明を適用した情報配信サーバ４０を含んでいる。
【００１５】
（情報配信システムの構成）
図１は、情報配信システムの構成を示す。
図１に示すように、情報配信システムは、携帯端末１０、情報案内ディスプレイ装置（情報表示装置）２０及び情報配信サーバ４０を備えている。情報配信サーバ４０と携帯端末１０及び情報案内ディスプレイ装置２０とは、通信ネットワーク１００，２００を介して通信可能に接続されている。
【００１６】
（携帯端末の構成）
図２は、携帯端末１０の構成例を示す。
図２に示すように、携帯端末１０は、携帯電話等であり、予定情報入力部１１、表示部１２、データ送信部１３（端末ＩＤ送信部（端末ＩＤ通知部）及び予定情報送信部）及び端末ＩＤ格納部１４を備えている。
【００１７】
端末ＩＤ格納部１４には、携帯端末１０のＩＤ（端末ＩＤ）が格納されており、データ送信部１３（端末ＩＤ送信部としての機能）は、端末ＩＤ格納部１４に格納されている端末ＩＤを情報案内ディスプレイ装置２０に送信する。送信タイミングについては、携帯端末１０が情報案内ディスプレイ装置２０の後述の端末ＩＤ読込部２１にセットされた際に（端末ＩＤ送信部１１と端末ＩＤ読込部２１との間の通信が確立した場合に）、端末ＩＤを該端末ＩＤ読込部２１に送信する。ここで、端末ＩＤは、携帯端末１０を一意に識別するための情報からなる。
予定情報入力部１１により、ユーザが携帯端末１０において予定情報の登録を行うことができる。予定情報入力部１１は、携帯端末１０の表示部１２（予定情報表示部としての機能）に表示された予定情報入力画面により、ユーザからの予定情報を取得する。
【００１８】
図３は、予定情報入力画面の表示例を示す。
図３に示すように、表示部１２に表示された予定情報入力画面１２ａは、カレンダーアプリケーションにより実現されており、カレンダ部１２ｂ、登録ボタン部１２ｃ及び編集ボタン部１２ｄから構成されている。このような予定情報入力画面１２ａにおいて、ユーザは、カレンダ部１２ｂの日時を選択して、その日時内に予定情報を書き込む。そして、ユーザが、予定情報入力画面１２ａの登録ボタン部１２ｃを押すことにより、データ送信部１３（端末ＩＤ送信部及び予定情報送信部としての機能）が、書き込んだ予定情報の「名称」及び「日時」の情報を、端末ＩＤとともに、通信ネットワーク２００を介して情報配信サーバ４０に送信する。なお、編集ボタン部１２ｄは、ユーザが既に登録済みの予定情報を編集するためのボタンである。
【００１９】
この図３は、「２００６年７月１２日に東京ｘｘｘテーマパーク」へ行くことが、予定情報として書き込まれている例を示す。
なお、本実施例では、カレンダーアプリケーションの例を示しているが、ユーザの予定情報の登録は、ＴＯＤＯ等のスケジューラやメールからの予定情報の登録等、他の手段を用いることもできる。
【００２０】
図４は、予定情報入力に係る携帯端末１０の処理手順を示す。
図４に示すように、先ずステップＳ１において、予定情報入力部１１は、予定情報入力画面１２ａの出力操作（画面切り替え操作）があったか否かを判定する。ここで、予定情報入力画面１２ａの出力操作があるまで待機して、予定情報入力画面１２ａの出力操作があった場合、ステップＳ２に進む。
【００２１】
ステップＳ２では、予定情報入力部１１は、前記ステップＳ１で表示した予定情報入力画面１２ａに対して予定情報の入力がなされ、その予定情報が登録されたか否かを判定する。すなわち、登録ボタン部１２ｃが操作されたか否かを判定する。ここで、予定情報が登録されるまで待機して、予定情報が登録された場合、ステップＳ３に進む。
ステップＳ３では、予定情報入力部１１は、前記ステップＳ２で登録された予定情報についての「名称（予定名称）」及び「日時」の情報を取得する。
続いてステップＳ４において、データ送信部１３は、前記ステップＳ３で取得した予定情報の「名称」及び「日時」の情報を、端末ＩＤ格納部１４に格納されている端末ＩＤとともに、情報配信サーバ４０に送信する。
【００２２】
（情報案内ディスプレイ装置の構成）
情報案内ディスプレイ装置２０は、ユーザからの要求を獲得しつつ、情報配信サーバ４０から配信された情報をユーザに提供するように構成された電子ディスプレイ装置である。
図５は、情報案内ディスプレイ装置２０の構成例を示す。
図５に示すように、情報案内ディスプレイ装置２０は、端末ＩＤ読込部２１、データ送信部（端末ＩＤ通知部及びディスプレイＩＤ通知部）２２、ディスプレイＩＤ格納部２３及び案内情報表示部（電子ディスプレイ）２４を備えている。なお、情報案内ディスプレイ装置２０は、図示しないが、通信ネットワーク１００を介して情報配信サーバ４０との間でデータの送受信を行うための送受信部を備えている。
【００２３】
端末ＩＤ読込部２１は、かざされた（近づけられた又は所定範囲内に位置された）携帯端末１０（データ送信部１３）から送信される端末ＩＤを受信する。例えば、Ｆｅｌｉｃａ等の非接触ＩＤ技術を用いて携帯端末１０のデータ送信部１３との間の通信を行う。
ディスプレイＩＤ格納部２３には、電子ディスプレイ装置のＩＤ（ディスプレイＩＤ）が格納されており、データ送信部（ディスプレイＩＤ通知部としての機能）２２は、端末ＩＤ読込部２１が端末ＩＤを受信したタイミングで、ディスプレイＩＤ格納部２３に格納されているディスプレイＩＤを読み出し、読み出したディスプレイＩＤを、端末ＩＤとともに情報配信サーバ４０に送信する。ここで、ディスプレイＩＤは、特定のエリア内（例えば駅の構内）で情報案内ディスプレイ装置２０を一意に識別するための情報からなる。
案内情報表示部２４は、情報配信サーバ４０から送信されてくる出力イメージ（画像データ）を受信して、受信した出力イメージをディスプレイ（電子ディスプレイ）２４に地図画像として表示する。
【００２４】
（情報配信サーバの構成）
情報配信サーバ４０は、ユーザ（具体的には携帯端末１０又は情報案内ディスプレイ装置２０）からの要求（ユーザ要求）に応じて情報を配信するように構成されている。
図６は、情報配信サーバ４０の構成例を示す。
図６に示すように、情報配信サーバ４０は、データ受信部（端末ＩＤ受信部及び端末一受信部（ディスプレイＩＤ受信部））４１、予定情報登録部４２、予定情報・タスク照合部４３、タスク・フェーズ判定部４４、サービス情報取得部４５、出力イメージ生成部４６、出力イメージ送信部４７、地図データ取得部４８、地図データ格納部４９、シソーラス辞書（シソーラス辞書ＤＢ（データベース））５０、タスクモデル格納部５１、サービス情報格納部５２、予定情報記憶部５３、ディスプレイ位置情報格納部５４及び施設情報格納部５５を備えている。
【００２５】
図７は、情報配信サーバ４０の処理手順を示す。この処理は、予定情報を登録する際の処理になる。この処理手順に沿って、情報配信サーバ４０の各構成部の処理を説明する。
図７に示すように、先ずステップＳ１１において、データ受信部４１は、携帯端末１０から送信されてくる端末ＩＤを受信する。
続いてステップＳ１２において、データ受信部４１は、携帯端末１０から送信されてくる予定情報（「名称」情報）及び日時情報を受信する。
続いてステップＳ１３において、予定情報・タスク照合部４３は、タスクモデル管理テーブル５１ａを参照して、前記ステップＳ１２で受信した予定情報に一致するタスクモデルを選択する。
【００２６】
図８は、タスクモデル格納部５１に格納されているタスクモデル管理テーブル５１ａの構成例を示す。
図８に示すように、タスクモデル管理テーブル５１ａは、「タスクＩＤ」、「タスク名」、「親タスクＩＤ」、「準備」及び「実行」の各項目の情報が対応付けられて構成されている。
タスクモデルは、一群のタスクにより構成されているものである。具体的には、タスクモデルは、「タスクＩＤ」で識別される複数のタスクノードが階層的なものとされて表現されるものであり、その階層構造が「親タスクＩＤ」を参照されることにより表現されている。
【００２７】
例えば、「タスクＩＤ」＝１００２、１００３である、「テーマパークへ移動する」や「テーマパークへ入場する」のタスクは、「親タスクＩＤ」として「１００１」を参照するようになっており、すなわち、「テーマパークへ行って遊ぶ」のタスクを参照するようになっている。ここで、参照先の「１００１」のタスク（「テーマパークへ行って遊ぶ」）は上位タスクとなり、「１００１」のタスクを参照するタスクはサブタスク（下位タスク）となる。そして、これら上位タスク及びサブタスクが階層構造のタスクノードを構成している。
【００２８】
さらに、タスクモデルを構成するタスク（サブタスク）として、２種類のタスクが存在している。１つ目は、サブタスクが、上位タスクに対する「準備フェーズ」となるタスクである。例えば、「テーマパークの見所を調べる」や「前売りチケットを購入する」等のサブタスクは、上位タスク（参照先のタスク）となる「テーマパークへ行って遊ぶ」を実現するための準備段階におけるタスクとなる。２つ目は、サブタスクが、上位タスクに対する「実行フェーズ」となるタスクである。例えば、「テーマパークへ移動する」や「テーマパークへ入場する」等のタスクは、上位タスク（参照先のタスク）となる「テーマパークへ行って遊ぶ」を実現するための実行段階（実現段階又は直前段階）におけるタスクとなる。これらタスク種別は、タスクモデル管理テーブル５１ａにおける「準備」及び「実行」の項目（「０」 ならば該当しない、「１」ならば該当する）を用いて識別されるようになっている。
【００２９】
そして、タスクモデル管理テーブル５１ａからタスクを検索する方法（情報照合方法）については様々な方法がある。本実施形態では、例えば、携帯端末１０から通知された予定情報（前記ステップＳ１２で受信の予定情報）に、形態素解析をかけて名詞（「予定名称」）を抜き出し、抜き出した名詞とタスクモデル管理テーブル５１ａ内の「タスク名」の情報を照合する。この場合、「予定名称」と「タスク名」との間には、表記や抽象度が異なる場合が多いため、シソーラス辞書５０（類似語辞書）を用いることで、表記揺れを吸収して、抽象度が異なる場合でもマッチングできるようにしている。例えば、シソーラス辞書では、類似語や抽象度に応じた上位語及び下位語との関係が示されている。
【００３０】
以上のようにして、タスクモデル管理テーブル５１ａの「タスク名」の情報と予定情報（「予定名称」）とを照合して、予定情報に対応するタスク（タスクモデル（特に上位タスク））を選択する。また、前記照合により、予定情報に対して複数のタスクの候補が選択される場合もある。この場合、ユーザに対してタスク候補の提示と確認を行い（情報管理サーバから携帯端末１０又は情報案内ディスプレイ装置２０に、その旨を示す情報を送信して）、それに応じたユーザから通知される情報（携帯端末１０又は情報案内ディスプレイ装置２０から情報管理サーバ４０に返信されてくる情報、例えば予定情報）と、タスクモデル管理テーブル５１ａ内のタスクとのマッチング処理を再び実施して、一のタスク（タスクモデル（特に上位タスク））を選択する。
【００３１】
なお、ここで、サブタスクが実行されて提供される情報は、実行段階又は準備段階の情報であり、予定情報が示す予定を実現するために、実行段階又は準備段階で必要となる情報を一般抽象化した情報となる。
続いてステップＳ１４において、予定情報登録部４２は、前記ステップＳ１３の処理で得た情報を、予定情報記憶部５３の予定情報管理テーブル５３ａに登録する。
【００３２】
図９は、予定情報管理テーブル５３ａの構成例を示す。
図９に示すように、予定情報管理テーブル５３ａは、「端末ＩＤ」、「予定名称」、「日時」及び「タスクＩＤ」の各項目の情報が対応付けられて構成されている。これら各項目「端末ＩＤ」（前記ステップＳ１２で受信）、「予定情報」、「日時」及び「タスクＩＤ」に対応させて、以上のような処理で得た情報を登録する。ここで、「日時」の情報は、予定を実施する日時を示す。
【００３３】
図１０は、情報配信サーバ４０の処理手順を示す。この処理は、予定情報に基づいて行うサービス情報の配信処理になる。この処理手順に沿って、情報配信サーバ４０の各構成部の処理を説明する。
図１０に示すように、先ずステップＳ２１において、データ受信部４１は、情報案内ディスプレイ装置２０から送信されてくる端末ＩＤを受信する。
【００３４】
続いてステップＳ２２において、データ受信部４１（端末位置受信部の機能）は、情報案内ディスプレイ装置２０から送信されてくるディスプレイＩＤを受信する。
続いてステップＳ２３において、予定情報記憶部５３は、前記ステップＳ２１で受信した端末ＩＤが予定情報管理テーブル５３ａ（予定情報管理ＤＢ（データベース））に登録されているか否かを判定する。具体的には、予定情報記憶部５３は、予定情報管理テーブル５３ａを参照して、端末ＩＤを検索キーとして、予定情報管理テーブル５３ａ内にマッチする項目が格納されているか否かを判定する。
【００３５】
ここで、端末ＩＤについての予定情報が予定情報管理テーブル５３ａ内に一件も登録されていない場合、ステップＳ２４に進み、端末ＩＤについての予定情報が予定情報管理テーブル５３ａの内に一件以上登録されている場合、ステップＳ２９に進む。
ステップＳ２４では、ディスプレイ位置情報格納部５４は、ディスプレイ位置情報管理テーブル５４ａ（ディスプレイ位置情報管理ＤＢ）を参照して、端末ＩＤとともに送信されてきたディスプレイＩＤに対応する位置情報を読み込む。
【００３６】
図１１は、ディスプレイ位置情報格納部５４に格納されているディスプレイ位置情報管理テーブル５４ａの構成例を示す。
図１１に示すように、ディスプレイ位置情報管理テーブル５４ａは、「ディスプレイＩＤ」及び「位置」の各項目の情報が対応付けられて構成されている。ここで、「位置」の情報は、ディスプレイＩＤに対応する情報案内ディスプレイ装置の位置を示す座標情報になる。
【００３７】
続いてステップＳ２５において、地図データ取得部４８は、前記ステップＳ２４で読み込んだ情報案内ディスプレイ装置の位置情報に基づいて、地図データ格納部（例えば地図ＤＢ）４９に格納されている地図情報を読み込む。ここで、地図情報は、情報案内ディスプレイ装置の位置を中心としたエリア地図（周辺エリア地図）からなる情報である。
続いてステップＳ２６において、施設情報格納部５５は、施設情報管理テーブル５５ａ（施設情報管理ＤＢ）を参照して、前記ステップＳ２５で読み込んだエリア地図の範囲内に含まれる全ての施設情報を読み込む。
【００３８】
図１２は、施設情報格納部５５に格納されている施設情報管理テーブル５５ａの構成例を示す。
図１２に示すように、施設情報管理テーブル５５ａは、施設に関する情報からなり、「施設ＩＤ」、「施設名」及び［位置］の各項目の情報が対応付けて構成されている。「施設ＩＤ」の情報は、エリア内の施設を一意に識別するための情報である。「施設名」の情報は、施設名称を示す。「位置」の情報は、該当する施設の特定エリア内の位置を示しており、本実施例では、「１０００２５，２０００１３」のようにエリア内の座標軸で表現され、Ｘ軸とＹ軸の原点からの相対位置として施設の位置を示す。
【００３９】
続いてステップＳ２７において、出力イメージ生成部４６は、前記ステップＳ２５で読み込んだエリア地図と前記ステップＳ２６で読み込んだ施設情報（特に施設名称）とを合成した出力イメージ（画像データ）を生成する。
続いてステップＳ２８において、出力イメージ送信部４７は、前記ステップＳ２７で生成した出力イメージを情報案内ディスプレイ装置２０に送信する。
【００４０】
一方、前記ステップＳ２３において端末ＩＤについての予定情報が予定情報管理テーブル５３ａ内に一件以上登録されていると判定された場合に進むステップＳ２９では、予定情報記憶部５３は、端末ＩＤに対応する予定情報を予定情報管理テーブル５３ａ内から一件読み込む。
例えば、前記図９に示すような情報が予定情報管理テーブル５３ａに登録されている場合において、「端末ＩＤ」が「１００１」であれば、それに対応する予定情報として、「予定名所」である「東京ｘｘｘテーマパーク」、「日時」である「１２  Ｊｕｌ  ２００６」及び「タスクＩＤ」である「０００１」を読み込む。
【００４１】
続いてステップＳ３０において、タスク・フェーズ判定部４４は、前記ステップＳ２９で読み込んだ予定情報に対応するタスクＩＤ（親タスクＩＤ）を、予定情報管理テーブル５３ａから読み込み、その読み込んだタスクＩＤ（親タスクＩＤ）に対応するタスク（タスクモデル）を、タスクモデル管理テーブル５１ａから読み込む。
続いてステップＳ３１において、 タスク・フェーズ判定部４４は、現在時刻（現在日時）と予定情報に含まれる日時（前記ステップＳ２９で読み込んだ「日時」）との照合を行う。ここで、タスク・フェーズ判定部４４は、現在時刻と予定情報の日付が同一する場合、実行フェーズとなるタスクが必要であると判定し、ステップＳ３２に進み、現在時刻と予定情報の日付とが異なる場合（現在日時が予定情報の日付に対し前日以前の場合）、準備フェーズとなるタスクが必要であると判定し、ステップＳ３３に進む。
【００４２】
なお、準備フェーズ及び実行フェーズの判定方法には、様々な方法があるので、以上の方法で準備フェーズ及び実行フェーズの判定を行うことに限定されるものではない。
ステップＳ３２では、 タスク・フェーズ判定部４４は、前記ステップＳ３０で読み込んだタスク（タスクモデル）に含まれるタスクノードから、実行フェーズとなるタスクを選択する。すなわち、親タスクが共通のタスクノード（サブタスク）から、「実行」の項目が「１」であるタスク（具体的には「タスクＩＤ」）を選択する。そして、ステップＳ３４に進む。
【００４３】
ステップＳ３３では、 タスク・フェーズ判定部４４は、前記ステップＳ３０で読み込んだタスク（タスクモデル）に含まれるタスクノードから、実行フェーズとなるタスクを選択する。すなわち、親タスクが共通のタスクノード（サブタスク）から、「準備」の項目が「１」であるタスク（具体的には「タスクＩＤ」）を選択する。そして、ステップＳ３４に進む。
【００４４】
ここで、実行フェーズ及び準備フェーズの選択方法について、例を挙げて説明する。
例えば、予定情報を取得する対象になる携帯端末１０の「携帯ＩＤ」が「１００１」であれば、予定情報管理テーブル５３ａを参照して、予定情報として、「予定名称」である「東京ｘｘｘテーマパーク」、「タスクＩＤ」として「１００１」 が読み込まれる（前記ステップＳ２９）。
【００４５】
ここで、「タスクＩＤ」の「１００１」は、タスクモデル管理テーブル５１ａにおいて、タスク「テーマパークに行って遊ぶ」に関連付けられている。そして、タスク「テーマパークに行って遊ぶ」には、サブタスクとして、「テーマパークへ移動する」、「テーマパークへ入場する」、「アトラクションを体験する」、「テーマパークの見所を調べる」及び「前売りチケットを購入する」が関連付けられている（「親タスクＩＤ」が「１００１」で共通になっている）。そして、これらサブタスクは、「実行」及び「準備」の項目でフラグにより選別されている。
【００４６】
このような場合において、現在日時が「２００６年７月１２日」の場合、該現在日時が、予定情報管理テーブル５３ａにおけるタスク「テーマパークに行って遊ぶ」（「タスクＩＤ」が「１００１」）についての「日時」の登録情報（「１２  Ｊｕｌ  ２００６」）と同一であることから（前記ステップＳ３１の判定結果が“Ｙｅｓ”の場合）、そのタスク「テーマパークに遊びに行く」のサブタスクの中から「実行」フラグで指定されているタスク（「実行」の項目が「１」のタスク）として、「テーマパークへ移動する」、「テーマパークへ入場する」及び「アトラクションを体験する」等を選択する。
【００４７】
また現在日時が「２００６年７月１０日」の場合、該現在日時が、予定情報管理テーブル５３ａにおけるタスク「テーマパークに行って遊ぶ」（「タスクＩＤ」が「１００１」）についての「日時」の登録情報（「１２  Ｊｕｌ  ２００６」）と異なることから（前記ステップＳ３１の判定結果が“Ｎｏ”の場合）、そのタスク「テーマパークに遊びに行く」のサブタスクの中から「準備」フラグで指定されているタスク（「準備」の項目が「１」のタスク）として、「テーマパークの見所を調べる」及び「前売りチケットを購入する」等のタスクを選択する。
続いてステップＳ３４において、サービス情報取得部４５は、サービスカテゴリ管理テーブル５２ａを参照して、前記ステップＳ３２又はステップＳ３３で選択したタスクＩＤに対応する「サービスカテゴリＩＤ」を抽出する。
【００４８】
図１３は、サービス情報格納部５２に格納されているサービスカテゴリ管理テーブル５２ａの構成例を示す。
図１３に示すように、サービスカテゴリ管理テーブル５２ａは、「サービスカテゴリＩＤ」、「サービスカテゴリ名」及び「タスクＩＤ」の各項目の情報が対応付けられて構成されている。
サービス情報取得部４５は、サービスカテゴリ管理テーブル５２ａにおいて、「タスクＩＤ」の項目が前記ステップＳ３２又はステップＳ３３で選択したタスクＩＤと一致する「サービスカテゴリＩＤ」（サービスを提供する施設のカテゴリ）を抽出する。
続いてステップＳ３５において、サービス情報取得部４５は、サービス情報管理テーブル５２ｂを参照して、前記ステップＳ３４で抽出した「サービスカテゴリＩＤ」に対応するサービス（施設情報）を選択する。
【００４９】
図１４は、サービス情報格納部５２に格納されているサービス情報管理テーブル５２ｂの構成例を示す。
図１４に示すように、サービス情報管理テーブル５２ｂは、「施設ＩＤ」、「施設名」、「位置」及び「サービスカテゴリＩＤ」の各項目の情報が対応付けられて構成されている。
サービス情報取得部４５は、このようなサービス情報管理テーブル５２ｂにおいて、「サービスカテゴリＩＤ」の項目が前記ステップＳ３４で抽出したサービスカテゴリＩＤと一致する「施設名」を抽出する。
【００５０】
例えば、タスク「テーマパークの見所を調べる」（「タスクＩＤ」が「１００６」のタスク）が選択された場合には（前記ステップＳ３３）、サービスカテゴリ管理テーブル５２ａから「タスクＩＤ」＝「１００６」に対応する「本屋」（「サービスカテゴリＩＤ」が「０００１」のサービスカテゴリ名）が選択され、最後に、サービス情報管理テーブル５２ｂから「サービスカテゴリＩＤ」＝「０００１」に対応する「東京ｘｙｚ書店」（「施設ＩＤ」が「０００１」の施設名）が選択される。
【００５１】
ここでは、ディスプレイ位置情報管理テーブル５４ａを参照して、端末ＩＤとともに送信されてきたディスプレイＩＤに対応する位置情報を得て、その位置情報に基づいて、サービス情報管理テーブル５２ｂからの選択を行う。すなわち、前記ステップＳ３４で抽出した「サービスカテゴリＩＤ」に属し、かつ情報案内ディスプレイ装置の設置位置（ユーザの現在位置）から所定エリア（後述のステップＳ２５で得るエリア地図）内にある施設（施設ＩＤ）を選択する。
【００５２】
続いてステップＳ３６において、タスク・フェーズ判定部４４は、端末ＩＤに対応する予定情報を予定情報管理テーブル５３ａ内から全て読み込んだか否かを判定する。ここで、端末ＩＤに対応する予定情報を予定情報管理テーブル５３ａ内から全て読み込んでいる場合、前記ステップＳ２４以降の処理を実施し、端末ＩＤに対応する予定情報を予定情報管理テーブル５３ａ内から全て読み込んでいない場合、前記ステップＳ２９から再び処理を行う。すなわち、予定情報管理テーブル５３ａ内にある端末ＩＤに対応する全ての予定情報について、前記ステップＳ２９〜ステップＳ３５の処理を実施する。
【００５３】
前記ステップＳ２４以降の処理では、ディスプレイ位置情報格納部５４が、ディスプレイ位置情報管理テーブル５４ａを参照して、端末ＩＤとともに送信されてきたディスプレイＩＤに対応する位置情報を読み込む（前記ステップＳ２４）。続いて、地図データ読込部が、読み込んだ情報案内ディスプレイ装置２０の位置情報に基づいて、地図データ格納部４９に格納されている地図情報を読み込む（前記ステップＳ２５）。続いて、施設情報格納部５５が、施設情報管理テーブル５５ａを参照して、読み込んだエリア地図の範囲内に含まれる全ての施設情報を読み込む（前記ステップＳ２６）。続いて、出力イメージ生成部４６が、読み込んだエリア地図及び施設情報（特に施設名称）を合成した出力イメージ（画像データ）を生成する（前記ステップＳ２７）。
【００５４】
特にここでは、施設情報（特に施設名称）について、前記ステップＳ３５で選択した施設ＩＤに対応するものがハイライト表示され、かつそれに利用用途の補足情報が付加された表示となるように、出力イメージを生成する。
そして、出力イメージ送信部４７が、その生成した出力イメージを情報案内ディスプレイ装置２０に送信する（前記ステップＳ２８）。
【００５５】
（動作及び作用）
動作及び作用は次のようになる。
（１）予定情報入力時（ユーザが事前に携帯端末１０を用いて予定情報の登録を行う場合）
ユーザが携帯端末１０を操作して、表示部１２に予定情報入力画面１２ａを表示する（前記ステップＳ１）。そして、ユーザが、表示された予定情報入力画面１２ａに対し予定情報を入力し、その入力した予定情報を登録すると、予定情報入力部１１が、その登録された予定情報の「名称」及び「日時」の情報を取得して（前記ステップＳ２〜ステップＳ３）、データ送信部１３が、その取得した予定情報の「名称」及び「日時」の情報を、端末ＩＤとともに、情報配信サーバ４０に送信する（前記ステップＳ４）。
【００５６】
これに対応して、情報配信サーバ４０では、データ受信部４１が、携帯端末１０から送信されてくる「端末ＩＤ」、予定情報及び日時情報を受信する（前記ステップＳ１１〜ステップＳ１２）。続いて、予定情報・タスク照合部４３が、タスクモデル管理テーブル５１ａを参照して、予定情報に一致するタスクモデルを選択し、予定情報登録部４２が、その選択したタスクモデル（タスクＩＤ）とともに、種々の情報（端末ＩＤ、名称及び日時）を予定情報管理テーブル５３ａに登録する（前記ステップＳ１３〜ステップＳ１４）。
【００５７】
（２）情報配信時（予定情報に基づいて情報を配信する場合）
ユーザが携帯端末１０を情報案内ディスプレイ装置２０の端末ＩＤ読込部２１にセットすると、情報案内ディスプレイ装置２０では、端末ＩＤ読込部２１が、該携帯端末１０から端末ＩＤを読み込む。そして、データ送信部２２が、ディスプレイＩＤ及び端末ＩＤを情報配信サーバ４０に通信ネットワーク１００を介して送信する。
【００５８】
（２−１）端末ＩＤの予定情報が予定情報管理テーブル５３ａ内に一件も登録されていない場合
これに対応して、情報配信サーバ４０では、データ受信部４１が、端末ＩＤ及びディスプレイＩＤを受信すると、予定情報記憶部５３が、受信した端末ＩＤを検索キーとして、予定情報管理テーブル５３ａを検索する（前記ステップＳ２１〜ステップＳ２３）。そして、端末ＩＤ（端末ＩＤについての予定情報）が予定情報管理テーブル５３ａ内に一件も登録されていない場合、ディスプレイ位置情報格納部５４が、受信したディスプレイＩＤに対応する情報案内ディスプレイ装置の位置情報をディスプレイ位置情報管理テーブル５４ａから読み込み、地図データ読込部４５が、情報案内ディスプレイ装置の位置情報（位置）を中心としたエリア地図を読み込む（前記ステップＳ２４〜ステップＳ２５）。
続いて、施設情報格納部５５が、読み込んだエリア地図の範囲内に含まれる施設情報を施設情報管理テーブル５５ａから読み込む（前記ステップＳ２６）。そして、出力イメージ生成部４６が、エリア地図と施設情報とを合成した出力イメージを生成し、出力イメージ送信部４７が、情報案内ディスプレイ装置２０に出力イメージを送信する（前記ステップＳ２７〜ステップＳ２８）。
【００５９】
以上のように、情報案内ディスプレイ装置２０に携帯端末１０がセットされた場合、情報案内ディスプレイ装置２０には、該情報案内ディスプレイ装置２０の配置位置を中心としたエリア地図（施設情報（施設名称）を含む）からなる地図画像が表示される。
図１５は、情報案内ディスプレイ装置２０のディスプレイ２６における表示例を示す。
図１５に示すように、ディスプレイ２６には、エリア地図と施設情報（施設名称）とを合成した地図画像が表示される。
【００６０】
（２−２）端末ＩＤの予定情報が予定情報管理テーブル５３ａ内に一件以上登録されている場合
また、情報配信サーバ４０では、受信した端末ＩＤについての予定情報が予定情報管理テーブル５３ａ内に一件以上登録されている場合、端末ＩＤについての予定情報を一件読み込む（前記ステップＳ２→ステップＳ２９）。続いて、タスク・フェーズ判定部４４が、予定情報に対応するタスクＩＤを、予定情報管理テーブル５３ａから読み込み、その読み込んだタスクＩＤに対応するタスク（タスクモデル）を、タスクモデル管理テーブル５１ａから読み込む（前記ステップＳ３０）。続いて、タスク・フェーズ判定部４４が、現在時刻（現在日時）と予定情報に含まれる日時（前記ステップＳ２９で読み込んだ「日時」）との照合を行い、実行フェーズ又は準備フェーズとなるタスク（タスクＩＤ）を選択する（前記ステップＳ３１〜ステップＳ３３）。続いて、サービス情報取得部４５が、サービスカテゴリ管理テーブル５２ａから、その選択したタスクＩＤに対応する「サービスカテゴリＩＤ」を抽出し、サービス情報取得部４５が、サービス情報管理テーブル５２ｂから、その抽出した「サービスカテゴリＩＤ」に対応するサービス（施設情報）を選択する（前記ステップＳ３４〜ステップＳ３５）。以上のような、予定情報に基づく処理を、端末ＩＤに対応して予定情報管理テーブル５３ａ内に登録されている全ての予定情報について行う（前記ステップＳ３６）。
【００６１】
そして、全ての予定情報について処理を行った後、ディスプレイ位置情報格納部５４が、受信したディスプレイＩＤに対応する情報案内ディスプレイ装置の位置情報をディスプレイ位置情報管理テーブル５４ａから読み込み、地図データ読込部４５が、情報案内ディスプレイ装置２０の位置情報（位置）を中心としたエリア地図を読み込む（前記ステップＳ２４〜ステップＳ２５）。続いて、施設情報格納部５５が、読み込んだエリア地図の範囲内に含まれる施設情報を施設情報管理テーブル５５ａから読み込む（前記ステップＳ２６）。そして、出力イメージ生成部４６が、エリア地図と施設情報とを合成した出力イメージを生成する（前記ステップＳ２７）。特にここでは、施設情報（特に施設名称）について、先に選択した施設ＩＤ（前記ステップＳ３５で選択した施設ＩＤ）に対応するものがハイライト表示され、かつそれに利用用途の補足情報が付加された表示となるように、出力イメージを生成する。そして、出力イメージ送信部４７が、情報案内ディスプレイ装置２０に出力イメージを送信する（前記ステップＳ２８）。
【００６２】
図１６は、準備フェーズのタスクが実行された場合の、情報案内ディスプレイ装置２０のディスプレイ２６における表示例を示す。
図１６に示すように、ディスプレイ２６には、エリア地図及び施設情報（施設名称）が合成された地図画像が表示される。ここで、予定情報に基づいて選択された施設２６ａは、エリア地図内でハイライト表示され、利用用途の補足情報（準備のための情報）２６ｂが付加されて表示（ハイライト表示）される。
【００６３】
図１６に示す例は、予定情報として、「東京ｘｘｘテーマパーク」に行くことが、予定情報として登録されている場合に、その準備フェーズのタスクにより、ユーザの現在位置（情報案内ディスプレイ装置２０の設置位置）に近い施設２６ａとして、「東京ａａａ書店」及び「チケットショップｃｃｃ」の情報が提供され、それら施設２６ａに利用用途の補足情報２６ｂとして、「テーマパークの見所を調べる」及び「前売りチケットを購入する」が付加されている例となる。
【００６４】
図１７は、実行フェーズのタスクが実行された場合の、情報案内ディスプレイ装置２０のディスプレイ２６における表示例を示す。
図１７に示すように、ディスプレイ２６には、エリア地図及び施設情報（施設名称）が合成された地図画像が表示される。ここで、予定情報に基づいて選択された施設２６ａは、エリア地図内でハイライト表示され、利用用途の補足情報（実行のための情報）２６ｂが付加されて表示（ハイライト表示）される。
【００６５】
図１７に示す例は、予定情報として、「東京ｘｘｘテーマパーク」に行くことが、予定情報として登録されている場合に、その実行フェーズのタスクにより、ユーザの現在位置（情報案内ディスプレイ装置２０の設置位置）に近い施設２６ａとして、「インフォメーションセンター」の情報が提供され、その施設２６ａの利用用途の補足情報２６ｂとして、「路線情報を調べる」が付加されている例となる。
【００６６】
（作用及び効果）
作用及び効果は次のようになる。
前述のように、現在時刻（現在日時）と予め登録した予定情報に含まれる日時との差異から実行フェーズ又は準備フェーズのタスクを選択し、その選択したタスクに基づいて情報（施設情報等）をユーザに提供している（前記ステップＳ３１〜ステップＳ３３参照）。これにより、ユーザが自ら入力した予定に対して、明示的に意識していない潜在的な情報や忘れていた情報を最適なタイミングで提供することができ、ユーザの利便性を高めることができる。すなわち、ユーザに提供される情報は、該ユーザの予定に対する現時点の段階を考慮した情報になっており、ユーザにとって現在の位置において適切な情報になる。
【００６７】
また、前述のように、ユーザが携帯端末１０で利用している情報案内ディスプレイ装置の位置情報に基づいて、タスクに基づく情報を提供している（前記ステップＳ３５の処理内容を参照）。これにより、ユーザの現在位置を考慮して、タスクに基づく情報の提供ができる。これにより、ユーザに提供する情報は、ユーザの利便性を考慮したものとなる。例えば、ユーザが現在いるエリアについての知識がなくても、そのエリア内における現在地近くの施設の情報を得ることができるようになる。また、この結果、店舗などで提供されるサービスの利用頻度も高めることができ、店舗にとっても、サービス提供機会が増加する。
なお、前記実施形態を次のような構成により実現することもできる。
【００６８】
すなわち、前記実施形態では、情報案内ディスプレイ装置２０において地図画像を出力しているが、携帯端末１０にて地図画像を出力することができる。
この場合、図１８に示すように、情報案内ディスプレイ装置に換えて、携帯端末との間で非接続状態で通信可能な携帯端末間通信装置である位置通知装置８０を備える。位置通知装置８０は、エリア内の位置（該位置通知装置８０の設置位置）通知機能のみを備えている。これにより、地図表示等を携帯端末１０上のディスプレイにより実行する方式となり、携帯端末１０では、地図画像表示機能を含めて、情報案内ディスプレイ装置２０が備える全ての機能を有するようにする。
【００６９】
このような構成にした場合、位置通知装置８０の備える端末ＩＤ読込部８１に携帯端末１０をかざすことで、携帯端末１０では、位置通知装置８０から現在位置（該位置通知装置８０の設置位置）を取得した、取得した現在位置情報を情報管理サーバ４０に送信するなどし、それ以後、情報配信サーバ４０と携帯端末１０との間の通信により処理を実行する。
また、図１９に示すように、携帯端末１０の現在位置を該携帯端末１０の有する機能により取得し、その取得した現在位置情報を情報管理サーバ４０に送信するなどし、それ以後、情報配信サーバ４０と携帯端末１０との間の通信により処理を実行するようにすることもできる。この場合、携帯端末１０は、例えばＧＰＳ機能付の携帯端末である。
【００７０】
また、前記実施形態では、ユーザに提供する情報が施設案内（施設の位置や施設で提供可能なサービス）の場合を説明した。しかし、これに限定されるものではない。例えば、「路線情報を調べる」タスクに応じて提供する情報の例として、「インフォメーションセンター」（施設）の場所を挙げているが、路線情報を示す運行情報、利用可能なＷｅｂコンテンツ（例えば、路線案内情報サイト）へのリンク情報、さらにはそのような複数種類の情報を複合して提供することもできる。
【００７１】
なお、前記実施形態の説明において、情報配信サーバ４０は、携帯端末との間で非接続状態で通信可能な携帯端末間通信装置に前記携帯端末がかざされた場合に、前記携帯端末間通信装置又は携帯端末にて外部出力するための情報を送信する情報管理サーバを実現しており、予定情報登録部４２及び予定情報管理テーブル５３ａは、前記携帯端末の識別情報と該携帯端末にて入力された予定情報とが対応付けされた予定情報管理手段を実現しており、情報配信サーバ４０のステップＳ２９の処理は、前記予定情報管手段で管理する情報を参照し、前記携帯端末がかざされたことに対応して送信されてくる前記携帯端末の識別情報に対応する予定情報を選択する予定情報選択手段を実現しており、情報配信サーバ４０のステップＳ３５におけるディスプレイＩＤに対応する位置情報を取得する処理は、前記携帯端末の現在位置を示す位置情報を取得する端末位置情報取得手段を実現しており、情報配信サーバ４０のステップＳ３１〜ステップＳ３３の処理は、前記予定情報選択手段が選択した予定情報における実行日時と現日時との差に基づいて、現時点が前記予定に対する実行段階か、前記予定に対する準備段階かを判定する段階判定手段を実現しており、情報配信サーバ４０のステップＳ３４〜ステップＳ３５、ステップＳ２４〜ステップＳ２７の処理は、前記段階判定手段の判定結果に応じたものであり、かつ前記位置情報取得手段が取得した携帯端末の位置情報に応じた、前記予定を実現するために必要な実行段階又は準備段階の情報を作成する情報作成手段を実現しており、情報配信サーバ４０のステップＳ２８の処理は、前記情報作成手段が作成した情報を通信ネットワークを介して前記携帯端末間通信装置又は携帯端末に送信する送信手段を実現している。
【００７２】
また、前記実施形態の説明において、情報案内ディスプレイ装置２０は、  携帯端末との間で非接続状態で通信可能とされ、前記携帯端末がかざされたことに対応して情報管理サーバから送信されてくる情報を前記携帯端末を介して外部出力させ、又は自己を介して外部出力する携帯端末間通信装置を実現しており、端末ＩＤ読込部２１は、かざされた携帯端末の識別情報を取得する携帯端末識別情報取得手段を実現しており、ディスプレイＩＤ格納部２３は、携帯端末間通信装置の識別情報を保持する装置識別情報保持手段を実現しており、データ送信部２２は、前記携帯端末識別情報取得手段が取得した携帯端末の識別情報及び前記装置識別情報保持手段が保持する携帯端末間通信装置の識別情報を前記情報管理サーバに送信する送信手段を実現している。
【００７３】
また、前記実施形態の説明において、携帯端末１０は、非接続状態で通信可能な携帯端末間通信装置にかざされることで、自己の識別情報が前記携帯端末間通信装置を介して情報管理サーバに送信されて、その送信に対応して前記情報管理サーバから送信されてくる情報を前記携帯端末間通信装置を介して外部出力させ、又は自己を介して外部出力する携帯端末を実現しており、端末ＩＤ格納部１４は、携帯端末の識別情報を保持する携帯端末識別情報保持手段を実現しており、データ送信部１３は、かざさしたタイミングで、前記携帯端末識別情報保持手段が保持している携帯端末の識別情報を前記携帯端末間通信装置に送信する送信手段を実現している。また、予定情報入力部１１は、予定情報の入力操作  前記携帯端末識別情報保持手段が保持している携帯端末の識別情報と前記予定情報入力部の入力操作により入力された予定情報とを前記情報管理サーバに送信する送信手段と、がなされる予定情報入力手段を実現しており、データ送信部１３は、前記携帯端末識別情報保持手段が保持している携帯端末の識別情報と前記予定情報入力手段が入力操作されて入力された予定情報とを前記情報管理サーバに送信する送信手段を実現している。
【００７４】
また、前記実施形態の説明では、携帯端末との間で非接続状態で通信可能な携帯端末間通信装置に前記携帯端末がかざされた場合、それに対応して情報管理サーバから送信されてくる情報を前記携帯端末間通信装置又は前記携帯端末を介して外部出力する情報提供方法において、前記携帯端末にて予定情報が入力された場合、その入力された予定情報と該携帯端末の識別情報を情報管理サーバに送信し、前記情報管理サーバでは、送信されてくる予定情報と携帯端末の識別情報とを対応づけて保持し、前記携帯端末間通信装置に携帯端末がかざされた場合、該携帯端末間通信装置及び携帯端末の識別情報を前記情報管理サーバに送信し、前記情報管理サーバでは、保持している情報を参照し、送信されてくる携帯端末の識別情報に対応する予定情報を選択し、その選択した予定情報における予定の実行日時と現日時との差に基づいて、現時点が前記予定に対する実行段階か、前記予定に対する準備段階かを判定し、その判定結果に応じたものであり、かつ現在の携帯端末の位置情報に応じた、前記予定を実現するために必要な実行段階又は準備段階の情報を作成し、前記情報管理サーバでは、前記作成した情報を、前記携帯端末間通信装置又は携帯端末に送信することを実現している。
【図面の簡単な説明】
【００７５】
【図１】本発明の実施形態の情報案内表示システムの構成を示す図である。
【図２】情報案内表示システムにおける携帯端末の構成を示すブロック図である。
【図３】携帯端末における予定情報入力画面の表示例を示す図である。
【図４】携帯端末における処理の処理手順を示すフローチャートを示す。
【図５】情報案内表示システムにおける情報案内ディスプレイ装置の構成を示すブロック図である。
【図６】情報案内表示システムにおける情報配信サーバの構成を示すブロック図である。
【図７】情報配信サーバにおける予定情報登録処理の処理手順を示すフローチャートである。
【図８】情報配信サーバで管理するタスクモデル管理テーブルの構成例を示す図である。
【図９】情報配信サーバで管理する予定情報管理テーブルの構成例を示す図である。
【図１０】情報配信サーバにおいて、予定情報に基づいて行う情報の配信処理の処理手順を示すフローチャートである。
【図１１】情報配信サーバで管理するディスプレイ位置情報管理テーブルの構成例を示す図である。
【図１２】情報配信サーバで管理する施設情報管理テーブルの構成例を示す図である。
【図１３】情報配信サーバで管理するサービスカテゴリ管理テーブルの構成例を示す図である。
【図１４】情報配信サーバで管理するサービス情報管理テーブルの構成例を示す図である。
【図１５】情報案内ディスプレイ装置における地図画像の表示例を示す。
【図１６】情報案内ディスプレイ装置における地図画像の他の表示例を示す。
【図１７】情報案内ディスプレイ装置における地図画像の他の表示例を示す。
【図１８】本発明の実施形態の情報案内表示システムの他の構成を示す図である。
【図１９】本発明の実施形態の情報案内表示システムの他の構成を示す図である。
【符号の説明】
【００７６】
１０  携帯端末、１１  予定情報入力部、１２  表示部、１２ａ予定情報入力画面、１３  データ送信部、１４  端末ＩＤ格納部、２０  情報案内ディスプレイ装置、２１  端末ＩＤ読込部、２２  データ送信部、２３  ディスプレイＩＤ格納部、２４  案内情報表示部、４０  情報配信サーバ、４１  データ受信部、４２  予定情報登録部、４３  予定情報・タスク照合部、４４  タスク・フェーズ判定部、４５  サービス情報取得部、４６  出力イメージ生成部、４７  出力イメージ送信部、４８  地図データ取得部、４９  地図データ格納部、５０  シソーラス辞書、５１  タスクモデル格納部、５２  サービス情報格納部、５３  予定情報記憶部、５４  ディスプレイ位置情報格納部、５５  施設情報格納部、１００，２００  通信ネットワーク
【図１】
2008129774.tif 000003
【図２】
2008129774.tif 000004
【図３】
2008129774.tif 000005
【図４】
2008129774.tif 000006
【図５】
2008129774.tif 000007
【図６】
2008129774.tif 000008
【図７】
2008129774.tif 000009
【図８】
2008129774.tif 000010
【図９】
2008129774.tif 000011
【図１０】
2008129774.tif 000012
【図１１】
2008129774.tif 000013
【図１２】
2008129774.tif 000014
【図１３】
2008129774.tif 000015
【図１４】
2008129774.tif 000016
【図１５】
2008129774.tif 000017
【図１６】
2008129774.tif 000018
【図１７】
2008129774.tif 000019
【図１８】
2008129774.tif 000020
【図１９】
2008129774.tif 000021